(57)【要約】      （修正有）【課題】シャツ外が高温環境下でも保冷シートの身体局部の保冷効果を有効に維持発揮され長時間に亘って体温調整機能が優れ、当該作業の動作にフィットした優れた可撓性を有し、また保冷シートの高寿命化を可能にしたクールシャツを提供する。【解決手段】シャツの少なくとも脇部と胸部と背中部に上端部開放型のポケットＰ１，Ｐ２，Ｐ５，Ｐ６を設ける。ポケットに単数又は複数枚の保冷シート１００を交換可能に上方挿入し、保冷シートは、熱伝導率の高い高吸水性樹脂シートを布地でラミネートした三層保冷シート、或いは断熱シートの内側面に高吸水性樹脂シートを配置し、布地でラミネートした四層保冷シート、或いは前記断熱シートの両面に高吸水性樹脂シートを配置し、布地でラミネートした五層冷却シートの何れか一つ以上にし、ポケットは上端開放部をそのまま或いは開閉具を設け、内面側及び／又は外面側を布地又はメッシュ布で形成する。【選択図】図１
0003188423.tif 000002
【実用新案登録請求の範囲】
【請求項１】
シャツの少なくとも脇部と胸部と背中部に上端部開放型のポケットを設け、前記ポケットに単数又は複数枚の保冷シートを交換可能に上方挿入し、前記保冷シートは、熱伝導率の高い高吸水性樹脂シートを布地でラミネートした三層保冷シート、あるいは断熱シートの内側面（即ち身体表面側）に前記高吸水性樹脂シートを配置しこれらを布地でラミネートした四層保冷シート、あるいは前記断熱シートの両面に前記高吸水性樹脂シートを配置しこれらを布地でラミネートした五層冷却シートの何れか一つ以上にし、前記ポケットは、上端開放部をそのまま或いは開閉具を設けると共に内面側及び／又は外面側を布地又はメッシュ布で形成したことを特徴とするクールシャツ。
【考案の詳細な説明】
【技術分野】
【０００１】  本考案は、特に炎天下の夏場において、各種の屋内外作業等が、安全に且つ作業効率を高めるために利用する保冷シート内設のクールシャツに関するものである。
【背景技術】
【０００２】  特に炎天下の夏場において、例えば各種建設現場における各種の屋内外作業では、クールシャツは作業者の重要なアイテムである。【０００３】  従来保冷材を内設した身体装着用として、特許文献１に記載の保冷用被服、特許文献２に記載の警備用の安全チョッキ、特許文献３に記載のシャツ・ブリーフ、特許文献４に記載のネクタイ、特許文献５に記載の首巻付け冷却器具等が公知である。
特許文献１に記載の保冷用被服は、脇の下にポケットを設けこれに保冷剤を入れるもので、保冷剤としてはそれ自体は低温物質ではないが、冷蔵庫や冷凍庫に出し入れすることにより保冷を得ることができる例えば、商品名「アイスノン」等や、氷を収納したゴム袋等を記載している。【０００４】特許文献２に記載の警備用の安全チョッキは、保冷体を、安全チョッキの背面部と肩からベルト部に下げた肩掛けの前面部に取り付けられる。【０００５】特許文献３に記載のシャツ・ブリーフは冷却剤の具体例については何ら記載が無いが、シャツの襟や脇下、及びパンツの股間部にポケットを設け、ポケットの中に保冷剤などの冷却剤を入れ、皮下血管を冷やすことにより、涼しく使用できるようにするものが紹介されている。【０００６】特許文献４に記載のネクタイは、吸水性繊維又は吸水性物の生地に保冷剤を収納するためのポケット部を設けたものである。【０００７】特許文献５に記載の首巻付け冷却器具は、円弧状に湾曲し、帯状に形成された外袋と、保冷剤を収容した複数の内袋を前記外袋の長手方向に連結部を介して連結した状態で、前記外袋に収容される内袋連結体とを備え、前記内袋連結体の各連結部は、前記外袋の円弧の凸側において、切り込みが形成されている。
【先行技術文献】
【特許文献】
【０００８】
【特許文献１】特開２００３−５５８１１号公報
【特許文献２】特開２０１０−２５５１５２号公報
【特許文献３】特開２０１３−３２６０３号公報
【特許文献４】特開２０１３−１１６２８２号公報
【特許文献５】特開２００６−９２１１号公報
【考案の概要】
【考案が解決しようとする課題】
【０００９】  前記何れの特許文献においても、保冷材については、一般的な機能概念と例示しても粒状の高吸水性樹脂、不凍剤、水、乳化剤及び界面活性剤を入れた凍結しないゲル状の保冷剤、単なる含水ゲル、アイスノン、氷を収納したゴム袋等であり、
しかし特に炎天下の夏場において、例えば各種建設現場における各種の屋内外作業で着用するシャツには、上記のような保冷材の適用は各種の問題がある。
即ち、前記上保冷材の適用では、保冷材自体が重いこと、身体の柔軟な動作にフィット変形する可撓性に乏しいなど、当該屋内外での作業性が極めて悪い。
また、シャツの外側に面する表面からの吸熱作用も促進されるため、早期に冷却機能が喪失して、再冷却頻度が高い。
本考案はこれらの課題を解決したクールシャツを提供する。
【課題を解決するための手段】
【００１０】上記課題を満足させる本考案の基本的な技術構成は、次の（１）の通りである。
（１）、シャツの少なくとも脇部と背中部に上端部開放型のポケットを設け、前記ポケットに単数又は複数枚の保冷シートを交換可能に上方挿入し、前記保冷シートは、熱伝導率の高い高吸水性樹脂シートを布地でラミネートした三層保冷シート、あるいは断熱シートの内側面（即ち身体表面側）に前記高吸水性樹脂シートを配置しこれらを布地でラミネートした四層保冷シート、あるいは前記断熱シートの両面に前記高吸水性樹脂シートを配置しこれらを布地でラミネートした五層冷却シートの何れか一つ以上にし、前記ポケットは、上端開放部をそのまま或いは開閉具を設けると共に内面側及び／又は外面側を布地又はメッシュ布で形成したことを特徴とするクールシャツ。【００１１】  本考案において、高吸水性樹脂（Ｓｕｐｅｒａｂｓｏｒｂｅｎｔ  ｐｏｌｙｍｅｒ、略称：ＳＡＰ）シートは、特に高い水分保持性能を有するように設計された吸収性ポリマーシート、高吸水性樹脂シート、含水ジェル層シートを言う。【００１２】  本考案において、布地とは、薄いポリエステル繊維布、ナイロン繊維布、木綿布、絹布、或いはこれらの適宜な混紡布或いは不繊布を言う。【００１３】本考案において、前記断熱シートとは、断熱作用がある紙製軟質シート、多孔性柔軟樹脂製シート、或いは多少厚手の前記布地等を言う。【００１４】本考案において、開閉具は、前記冷却シートをポケットから取り出し交換する際に用いると共に、使用中の飛び出しや、はみ出しを防止するもので、シートファスナー（商標：マジックテープ）又はジッパー或いはボタン、ホック、安全ピン、その他の適宜な公知のクリップを言う。
【考案の効果】
【００１５】  本考案のクールシャツによると、ポケットに入れる保冷シートを、ａ），熱伝導率の高い高吸水性樹脂シートを布地でラミネートした三層保冷シート、ｂ），あるいは断熱シートの内側面（即ち身体表面側）に前記高吸水性樹脂シートを配置しこれらを布地でラミネートした四層保冷シート、あるいはｃ），前記断熱シートの両面に前記高吸水性樹脂シートを配置しこれらを布地でラミネートした五層冷却シートにすることにより、シャツ外が高温環境下でも保冷シートの身体局部の保冷効果を有効に維持発揮され長時間に亘ってて体温調整機能が優れているとともに、当該作業の動作にフィットした優れた可撓性を有し、また保冷シートの崩れ劣化も無く高寿命化を可能にする。
特にｂ）の四層保冷シート及びｃ）の五層冷却シートは保冷シートの身体局部の保冷効果が顕著であり。
またｃ）の五層冷却シートは、両面を交互に入れ替えることにより身体局部の保冷効果を長時間有効に維持する。
【図面の簡単な説明】
【００１６】
【図１】本考案の実施例のクールシャツを示す正面説明図である。
【図２】図１に示すクールシャツの背面説明図である。
【図３】図１〜図２に示す各ポケットＰ１〜Ｐ７を（１）に示し、それに挿入する冷却シートの身体側表面図を（２）に示す。
【図４】図３の（２）に示す冷却シートの矢視Ａ−Ａからの横断面説明図であり、（１）は前記ａ）の冷却シート、（２）は前記ｂ）の冷却シート、（３）は前記ｃ）の冷却シートの各横断面図である。少し解かりやすいように厚めに表現してある。
【考案を実施するための形態】
【００１７】  本考案の実施例のクールシャツを図１〜図４と共に説明する。
本考案の実施例のクールシャツは、図１と図２に示すように、少なくとも脇部と背中部に上端部開放型のポケットＰ１〜Ｐ４を設け、本例では胸部と背中部の中央にもポケットＰ５〜Ｐ７を設けてある。
前記各ポケットＰ１〜Ｐ７に図３に示すように単数又は複数枚の保冷シート１００を交換可能に上方挿入する。
【００１８】前記保冷シート１００は、図４の（１）に示すように熱伝導率の高い高吸水性樹脂シート１０１を布地１０２と１０３でラミネートした三層保冷シート１００ａ、あるいは図３の（２）に示すように断熱シート１０４の内側面（即ち身体表面側）に前記高吸水性樹脂シート１０１を配置しこれらを布地１０２と１０３でラミネートした四層保冷シート１００ｂ、あるいは前記断熱シート１０４の両面に前記高吸水性樹脂シート１０１を配置しこれらを布地１０２と１０３でラミネートした五層冷却シート１００ｃにしてある。
【００１９】  前記当該ポケットＰ１〜Ｐ７は、上端開放部をそのまま或いは開閉具Ｃ０を設ける．
当該ポケットＰ１〜Ｐ７は，シャツと同じ布地で良いが、内面側即ち身体表面側をメッシュ布Ｍで形成して通気性を良くし冷却効能を高めてもよい。
メッシュ布Ｍは、当該ポケットの外側即ち反身体側になるシャツ本体にも布地の代わりに設けて通気性を良好にしてもよい。
【産業上の利用可能性】
【００２０】  本考案は前記した優れた作用効果を呈するものである。このため、特に各種建設業界及び植木剪定等の造園業界等で従事する作業者の暑さ対策に貢献すること多大なものがある。
【符号の説明】
【００２１】Ｐ１〜Ｐ７：上端部開放型のポケット
１００：保冷シート
１０１：高吸水性樹脂シート
１０２、１０３：布地
１０４：断熱シート
１００ａ：三層保冷シート
１００ｂ：四層保冷シート
１００ｃ：五層冷却シート
Ｃ０：開閉具
Ｍ：メッシュ布
【図１】
0003188423.tif 000003
【図２】
0003188423.tif 000004
【図３】
0003188423.tif 000005
【図４】
0003188423.tif 000006